(57)【要約】【課題】接着剤の保護と付着防止のために挿入型吸収性物品本体の裏面側に貼着された剥離紙を剥ぎ取った後でも、この物品本体の装着方向が常に分るようし、装着上のトラブルの解消を図った挿入型吸収性物品を提供すること。【解決手段】少なくとも、表面側を覆うトップシートと、裏面側を覆うバックシートと、前記シート間に介在された吸収体とにより物品本体が形成され、前記バックシート面の中央部長手方向に接着剤の保護及び付着防止のための剥離紙を有する挿入型吸収性物品において、前記剥離紙を透視可能なシートで構成すると共に、該剥離紙の内面側に位置し、かつ前記バックシート面から視認可能な部位に前記物品本体の装着方向を示すマークを施す。【選択図】        図１
2004254740.tif 000002
【特許請求の範囲】
【請求項１】
少なくとも、表面側を覆うトップシートと、裏面側を覆うバックシートと、前記シート間に介在された吸収体とにより物品本体が形成され、前記バックシート面の中央部長手方向に接着剤の保護及び付着防止のための剥離紙を有する挿入型吸収性物品において、前記剥離紙を透視可能なシートで構成すると共に、該剥離紙の内面側に位置し、かつ前記バックシート面から視認可能な部位に前記物品本体の装着方向を示すマークを施したことを特徴とする挿入型吸収性物品。
【請求項２】
前記マークは前記バックシートに施されていることを特徴とする請求項１に記載の挿入型吸収性物品。
【請求項３】
前記マークは前記バックシートの内面側に設けられた防水フィルムに施されていることを特徴とする請求項１に記載の挿入型吸収性物品。
【請求項４】
前記マークは前記吸収体を被覆する下部側のクレープ紙に施されていることをとを特徴とする請求項１に記載の挿入型吸収性物品。
【請求項５】
前記マークは前記物品本体裏面側の長手方向における少なくとも先端部、中央部、後端部の３個所に施されていることを特徴とする請求項１ないし請求項３のいずれかに記載の挿入型吸収性物品。
【請求項６】
前記マークは性別により装着方向が変えられていることを特徴とする請求項１ないし請求項５のいずれかに記載の挿入型吸収性物品。
【発明の詳細な説明】
【０００１】
【発明の属する技術分野】
本発明は、パンツ、おむつ、あるいは下着等（以下、「下着」という）の内面に挿入され、装着されて使用される紙おむつ、内装パッド、あるいは生理用ナプキン等の挿入型吸収性物品に関する。
【０００２】
上述したような挿入型紙吸収性物品、例えば挿入型の使い捨て紙おむつは、使用中に下着からずれないように、この紙おむつの裏面（バック面）を下着の内面に糊等の接着剤で接着して使用される。
【０００３】
図４は、挿入型吸収性物品の一例である挿入型の使い捨て紙おむつ（以下、単に「紙おむつ」という）１の斜視図であり、図５は図４のＸ−Ｘ断面図である。すなわち、この紙おむつ１は、表面側を覆う透液性のトップシート２と、裏面側を覆い内側に防水フィルム３を有する不透液性のバックシート４と、前記シート間に介在され、上部クレープ紙１１ａ及び下部クレープ紙１１ｂで被覆された吸収体５とにより展開平面が砂時計に類似した形状のおむつ本体６が形成されたもので、トップシート２の上面長手方向、すなわち腹部Ｆ側から股間部Ｃを通り背部Ｂ側に至る方向の両側には体液の横漏れを防止する立体ギャザー７が設けられている。
【０００４】
また、従来、上述したような挿入型の使い捨て紙おむつの他の例として、図６に図５と対応した断面図で示されるような紙おむつ１Ａが知られている。すなわち、この紙おむつ１Ａは、外形については図５に示される前記紙おむつ１と実質的に同一ないし近似したものであるのに対し、その断面方向の構成が異なっており、表面側を覆う透液性のトップシート２と、裏面側を覆う透液性のバックシート４Ａと、前記シート間に介在され上部クレープ紙１１ａ及び下部クレープ紙１１ｂで被覆された吸収体５とによりおむつ本体６Ａが形成されている。このようにこの紙おむつ１Ａは、防水フィルムを具備せず、また透液性のバックシートから成るもので、下着、とくに不透液性を有する下着の内面に挿入されて使用されるものである。
【０００５】
上述したような従来の紙おむつ１、１Ａでは、おむつ本体６、６Ａが腹部Ｆ側と背部Ｂ側とが略同一の形状に作られているのに対し、吸収体５が着用者の性別や年齢等により、腹部Ｆ側と背部Ｂ側とでは大きさや形状が異なって作られている。このため、おむつ本体６、６Ａの裏面側には後述するおむつ本体６、６Ａの装着方向を示すマークが付されている。
【０００６】
図４ないし図６に示されるように、おむつ本体６、６Ａの裏面側、すなわちバックシート４、４Ａの中央部長手方向には糊等の接着剤が塗設されて接着面８が形成されており、この接着面８には接着剤の保護と他の物への付着防止を目的として長尺矩形状の剥離紙９が貼着されている。
【０００７】
この剥離紙９は透明ないし半透明の薄いシートフィルムで作られ、この裏面、すなわち前記バックシート４、４Ａの接着面８と接する側の面にはシリコン等の剥離剤が塗設されている。この剥離紙９の表面にはおむつ本体６、６Ａの装着方向を表示した文字１０ａ（例えば「おなか側」）あるいは記号１０ｂ（例えば矢印）等から成るおむつ装着方向表示用のマーク１０が印刷等により施されている。なお、図４には剥離紙９が矢印Ｙ方向に剥ぎ取られる状態が示されている。
【０００８】
以上のとおり作られた本紙おむつ１、１Ａを使用する場合には、使用者は先ずマーク１０を見ておむつ本体６の装着方向を確認し、剥離紙９を先端部から矢印Ｙ方向に剥ぎ取ってバックシート４、４Ａの接着面８を露出させ、この接着面８を下着（図示せず）の内面に貼着しておむつ本体６、６Ａを固定する。このとき、剥ぎ取られた剥離紙９は用済みのためゴミとして廃棄される。
【０００９】
【発明が解決しようとする課題】
しかしながら、このような従来の吸収性物品、すなわち紙おむつ１、１Ａは、使用に際し、上述したように剥離紙９をおむつ本体６、６Ａから剥ぎ取ってしまうと、このおむつ本体６、６Ａの装着方向が分らなくなってしまい、このため腹部Ｆ側と背部Ｂ側とを逆に装着して使用するという事態が度々発生していた。このように、おむつ本体６、６Ａの向きを逆にして使用すると、吸収体５の大きさや形状の相違に起因し、体液が確実に吸収体５に吸収されないため、横漏れや逆戻り（Ｗｅｔ  ｂａｃｋ）を起こすという問題があった。
【００１０】
また、本紙おむつ１、１Ａの製造時において、マーク１０が施された剥離紙９をおむつ本体６、６Ａの所定の位置にずれることなく貼着するにはかなりの技術を要し、さらにまた、狭幅の剥離紙９にマーク１０を見易いように大きく印刷するには限界があった。
【００１１】
本発明は、このような実情に鑑みなされたもので、その目的とするところは、接着剤の保護と付着防止のために挿入型吸収性物品本体の裏面側に貼着された剥離紙を剥ぎ取った後でも、この物品本体の装着方向が常に分るようし、装着上のトラブルの解消を図った挿入型吸収性物品を提供することにある。
【課題を解決するための手段】
【００１２】
本発明の上記目的は、少なくとも、表面側を覆うトップシートと、裏面側を覆うバックシートと、前記シート間に介在された吸収体とにより物品本体が形成され、前記バックシート面の中央部長手方向に接着剤の保護及び付着防止のための剥離紙を有する挿入型吸収性物品において、前記剥離紙を透視可能なシートで構成すると共に、該剥離紙の内面側に位置し、かつ前記バックシート面から視認可能な部位に前記物品本体の装着方向を示すマークを施したことを特徴とする挿入型吸収性物品を提供することにより達成される。
【００１３】
また、本発明の上記目的は、前記マークは前記バックシートに施されていることを特徴とする挿入型吸収性物品を提供することによって、より効果的に達成される。
【００１４】
また、本発明の上記目的は、前記マークは前記バックシートの内面側に設けられた防水フィルムに施されていることを特徴とする挿入型吸収性物品を提供することによって、より効果的に達成される。
【００１５】
また、本発明の上記目的は、前記マークは前記吸収体を被覆する下部側のクレープ紙に施されていることを特徴とする挿入型吸収性物品を提供することによって、より効果的に達成される。
【００１６】
また、本発明の上記目的は、前記マークは前記物品本体裏面側の長手方向における少なくとも先端部、中央部、後端部の３個所に施されていることを特徴とする挿入型吸収性物品を提供することによって、より効果的に達成される。
【００１７】
さらにまた、本発明の上記目的は、前記マークは性別により装着方向が変えられていることを特徴とする挿入型吸収性物品を提供することによって、より効果的に達成される。
【００１８】
以下、本発明の内容を、前記同様、吸収性物品が使い捨ての挿入型紙おむつである場合を例に詳述する。なお、以下では、前述した従来の紙おむつ１と対応する構成部品には対応する３桁の符号を付して説明する。
【００１９】
【発明の実施の形態】
図１は、本発明の一実施形態である挿入型の使い捨て紙おむつ１００の斜視図で、図４に準じて示されたものであり、図２はこの紙おむつ１００を展開して裏面側から見た平面図である。図１に示すように、本紙おむつ１００は、前記紙おむつ１と同様に、表面側を覆う不織布等から成る透液性のトップシート１０２と、内側に防水フィルム１０３を有し裏面側を覆うポリエチレンフィルム等から成る不透液性のバックシート１０４と、前記シート間に介在され、図示しない上部クレープ紙及び下部クレープ紙により被覆された綿状パルプ等から成る吸収体１０５とにより展開平面が砂時計に類似した形状のおむつ本体１０６が形成されたもので、トップシート１０２の上面長手方向、すなわち腹部１００Ｆ側から股間部１００Ｃを通り背部１００Ｂ側に至る方向の両側には体液の横漏れを防止する不透液性の立体ギャザー１０７が設けられている。また、おむつ本体１０６は、腹部１００Ｆ側と背部１００Ｂ側とが略同一の形状に作られているのに対し、吸収体１０５は、後述するように着用者の性別により、腹部１００Ｆ側と背部１００Ｂ側とでは異なった形状に作られている。
【００２０】
図１及び図２に示すように、おむつ本体１０６の裏面側、すなわちバックシート１０４面の中央部長手方向には糊等の接着剤が塗設されて接着面１０８が形成されており、この接着面１０８には接着剤の保護と他の物への付着防止を目的として長尺矩形状の剥離紙１０９が貼着されている。
【００２１】
剥離紙１０９は透明ないし半透明の薄いシートフィルムで作られ、この裏面、すなわち前記バックシート１０４の接着面１０８と接する側の面にはシリコン等の剥離剤が塗設されている。一方、バックシート１０４の接着面１０８位置にはおむつ本体１０６の装着方向を表示した文字１１０ａ１（男）、１１０ａ２（女）及び記号１１０ｂ１（「男」の字側に向いた矢印）、１１０ｂ２（「女」の字側に向いた矢印）から成るおむつ装着方向表示用のマーク１１０が接着剤の塗設前に印刷等により施されている。このマーク１１０はバックシート１０４の長手方向における少なくとも先端部、中央部、後端部の３個所に施されている。これは本紙おむつ１００が工場から市場に出荷されるときに、包装工程において、通常、図３（ａ）に示すように２つ折りされ、あるいは図３（ｂ）に示すように３つ折りされて包装されるためであり、いずれの場合であっても、使用者がこのマーク１１０を使用前に表面から見て確認できるように配慮したものである。
【００２２】
図２に平面図で示されるように、吸収体１０５は記号１１０ｂ１（「男」の字側に向いた矢印）方向側、すなわち腹部１００Ｆ側が背部１００Ｂ側より広く形成されている。これは性別により排尿口の位置が異なることによるもので、当分野では周知である。
【００２３】
以上のとおり作られ本紙おむつ１００を使用する場合には、使用者は先ず透明な剥離紙１０９を通してバックシート１０４の接着面１０８位置に施されたマーク１１０を見ておむつ本体１０６の装着方向を確認し、剥離紙１０９を先端部から矢印１００Ｙ方向に剥ぎ取ってバックシート１０４の接着面１０８を露出させ、この接着面１０８を下着（図示せず）の内面に貼着しておむつ本体１０６を固定する。このとき、剥ぎ取られた剥離紙１０９は用済みのためゴミとして廃棄されるが、本紙おむつ１００においては、おむつ装着方向表示用のマーク１１０は依然としておむつ本体１０６のバックシート１０４面に残され、視認できる状態に置かれているので、使用者は決して装着方向を間違えることなく使用することができる。
【００２４】
また、マーク１１０を面積的な制約の少ないおむつ本体１０６のバックシート１０４面に施すようにしたことにより、マーク１１０の位置決め等の印刷作業が容易となり、また外側から視認し易い形状の大きなマークを施すことができる利点がある。
【００２５】
以上、本発明の内容を一実施例に基き説明したが、本発明はこれに限定されるものではなく、その構成を種々なものに変更することができる。
【００２６】
例えば、本発明における物品本体の装着方向を示すマークは、各種の文字（例えばブランド名、メーカー名、あるいは上、下等の文字）や記号（例えば指差記号等）の組合せに加え、動物やキャラクター等の幼児の知育を目的とした絵柄を含めたデザインで構成すること可能であり、いずれにしても、剥離紙を通し視覚により物品本体の装着方向を認識できるマークであれば全てが適用可能である。
【００２７】
また、前記実施例では、上記マークをバックシートの外面に印刷したが、これを内面に印刷してもよく、あるいはまた、バックシートの内側に配設されている防水フィルムの外面ないし内面に印刷するようにしてもよい。防水フィルムは印刷適性に優れているので印刷がし易く、このフィルム面に印刷されたマークは薄手のバックシート及び透視可能な剥離紙を通して外側からはっきり視認することができる。
【００２８】
さらにまた、前記実施例は、その基本構成が図５に示される従来の挿入型紙おむつに準じた紙おむつであって、この裏面側に上記マークが施されるものであったが、本発明はこれに限らず、その基本構成が図６に示されるような防水フィルムを具備せず、バックシートが透液性の紙おむつであっても適用が可能である。すなわち、このような紙おむつの場合には、吸収体を被覆する下部側のクレープ紙に上記マークを印刷することにより目的が達成される。このようにして施されたマークは、透視可能な剥離紙およびバックシートを介して外側から視認することができるからである。
【００２９】
なお、上記マークを紙等の別のシートに印刷し、この印刷シートをバックシートの内外面に配設することも考えられるが、製造コストの面で問題があるため好ましいものではない。
【００３０】
以上、本発明の内容を吸収性物品が挿入型の使い捨て紙おむつの場合を例に説明したが、本発明における吸収性物品は、必ずしも上記紙おむつに限定されるものではなく、このほか内装パッドや生理用ナプキン等の下着の内面に装着されて使用される全ての物品に適用されるものである。
【００３１】
【発明の効果】
以上に詳述したように、本発明は、少なくとも、表面側を覆うトップシートと、裏面側を覆うバックシートと、前記シート間に介在された吸収体とにより物品本体が形成され、前記バックシート面の中央部長手方向に接着剤の保護及び付着防止のための剥離紙を有する挿入型吸収性物品において、前記剥離紙を透視可能なシートで構成すると共に、該剥離紙の内面側に位置し、かつ前記バックシート面から視認可能な部位に前記物品本体の装着方向を示すマークを施すようにしたものであるので、本発明に係る挿入型吸収性物品によれば、剥離紙を剥ぎ取った後でも、この物品本体の装着方向を常にはっきりと確認することができ、これにより装着方向をとり違えるというトラブルが解消される。
【００３２】
また、前記マークは、前記物品本体のバックシート、あるいはこのバックシートの内面側に設けられる防水フィルム、さらには前記吸収体の下部側クレープ紙の何れの部位に施されていてもよく、とくにこのマークを前記物品本体裏面側の少なくとも先端部、中央部、後端部の３個所に施した吸収性物品によれば、２つ折りされ、あるいは３つ折りされて包装されていても、使用時に上記マークを確実に視認することができる。
【００３３】
さらにまた、上記マークが性別により装着方向が変えられている吸収性物品によれば、女性用、男性用の区別が明確にされるので、一層確実に装着することができる。
【図面の簡単な説明】
【図１】本発明の実施例に係る挿入型使い捨て紙おむつ（吸収性物品）の斜視図である。
【図２】図１の紙おむつを展開して裏面側から見た平面図である。
【図３】図１の紙おむつの包装形態を示す斜視図で、（ａ）は２つ折りの状態を、（ｂ）は３つ折りの状態を示す図である。
【図４】従来の挿入型使い捨て紙おむつ（吸収性物品）の一例を示す斜視図である。
【図５】図１のＸ−Ｘ断面図である。
【図６】従来の挿入型使い捨て紙おむつ（吸収性物品）の他の例を示す断面図である。
【符号の説明】
１、１Ａ、１００          挿入型使い捨て紙おむつ（吸収性物品）
２、１０２                トップシート
３、１０３                防水フィルム
４、１０４                バックシート
５、１０５                吸収体
６、１０６                おむつ本体
７、１０７                立体ギャザー
８、１０８                接着面
９、１０９                剥離紙
１０、１１０              （装着方向表示用の）マーク
【図１】
2004254740.tif 000003
【図２】
2004254740.tif 000004
【図３】
2004254740.tif 000005
【図４】
2004254740.tif 000006
【図５】
2004254740.tif 000007
【図６】
2004254740.tif 000008